【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
音声情報を録音する機能を有する撮像装置において、
撮影の準備を行うための第１のスイッチと、
撮影の指示を行うための第２のスイッチと、
前記第１のスイッチが押されたことに応じて録音を開始する開始手段と、
前記開始手段で開始された録音を継続しながら、前記第２のスイッチが押されて撮影が実行された後から、予め設定された撮影後の録音時間が経過したことに応じて録音を終了する終了手段と、
前記第１のスイッチが押されてから前記第２のスイッチが押されるまでに録音した撮影前音声情報と、前記第２のスイッチが押されてから前記撮影後の録音時間が経過するまでに録音した撮影後音声情報とを、前記撮影で得られた画像に関連付けて記録媒体に記録する記録手段とを有し、
前記第１のスイッチが押されてから前記第２のスイッチが押されるまでの時間が、予め決められた撮影前の録音時間を超える場合には、前記記録手段は、前記第２のスイッチが押される前の前記撮影前の録音時間分の音声情報を、撮影前音声情報として前記記録媒体に記録することを特徴とする撮像装置。
【請求項２】
前記第２のスイッチが押されるまでの直近の、前記予め決められた撮影前の録音時間分の音声情報を保持するメモリを更に有することを特徴とする請求項１に記載の撮像装置。
【請求項３】
前記撮影前の録音時間を任意の時間に設定するための第１の設定手段と、
前記撮影後の録音時間を任意の時間に設定するための第２の設定手段とを有することを特徴とする請求項１または２に記載の撮像装置。
【請求項４】
前記第２のスイッチが押されてから前記撮影後の録音時間が経過する前までに、前記第２のスイッチが再度押された場合には、前記記録手段は、前記撮影前音声情報と、前記第２のスイッチを１度目に押したときから、前記第２のスイッチが２度目に押された後に前記撮影後の録音時間が経過するまでに録音した撮影後音声情報とを合わせて１つの音声ファイルにして前記記録媒体に記録することを特徴とする請求項１乃至３のいずれか１項に記載の撮像装置。
【請求項５】
前記第２のスイッチが１度目に押されてから前記撮影後の録音時間が経過する前までに、前記第２のスイッチが再度押されたことで得られた２つの画像を前記１つの音声ファイルに関連付けることを特徴とする請求項４に記載の撮像装置。
【請求項６】
前記１つの音声ファイルを再生している途中において、前記第２のスイッチが押されたタイミングで前記２つの画像をそれぞれ再生する再生手段をさらに有することを特徴とする請求項５に記載の撮像装置。
【請求項７】
音声情報を録音する機能を有する撮像装置の制御方法において、
撮影の準備を行うための第１のスイッチが押されたことに応じて録音を開始する開始工程と、
前記開始工程で開始された録音を継続しながら、撮影の指示を行うための第２のスイッチが押されて撮影が実行された後から、予め設定された撮影後の録音時間が経過したことに応じて録音を終了する終了工程と、
前記第１のスイッチが押されてから前記第２のスイッチが押されるまでに録音した撮影前音声情報と、前記第２のスイッチが押されてから前記撮影後の録音時間が経過するまでに録音した撮影後音声情報とを、前記撮影で得られた画像に関連付けて記録媒体に記録する第１記録工程と、
前記第１のスイッチが押されてから前記第２のスイッチが押されるまでの時間が、予め決められた撮影前の録音時間を超える場合には、前記第２のスイッチが押される前の前記撮影前の録音時間分の音声情報を、撮影前音声情報として前記記録媒体に記録する第２記録工程とを備えることを特徴とする撮像装置の制御方法。
【請求項８】
音声情報を録音する機能を有する撮像装置の制御方法を当該撮像装置に実行させるプログラムにおいて、
前記撮像装置を、
撮影の準備を行うための第１のスイッチが押されたことに応じて録音を開始する開始手段、
前記開始手段により開始された録音を継続しながら、撮影の指示を行うための第２のスイッチが押されて撮影が実行された後から予め設定された撮影後の録音時間が経過したことに応じて録音を終了する終了手段、
前記第１のスイッチが押されてから前記第２のスイッチが押されるまでに録音した撮影前音声情報と、前記第２のスイッチが押されてから前記撮影後の録音時間が経過するまでに録音した撮影後音声情報とを、前記撮影で得られた画像に関連付けて記録媒体に記録する第１記録手段、及び
前記第１のスイッチが押されてから前記第２のスイッチが押されるまでの時間が、予め決められた撮影前の録音時間を超える場合には、前記第２のスイッチが押される前の前記撮影前の録音時間分の音声情報を、撮影前音声情報として前記記録媒体に記録する第２記録手段として機能させるためのプログラム。
【手続補正２】
【補正対象書類名】明細書
【補正対象項目名】０００８
【補正方法】変更
【補正の内容】
【０００８】
上記目的を達成するために、本発明の撮像装置は、音声情報を録音する機能を有する撮像装置において、撮影の準備を行う第１のスイッチと、撮影の指示を行う第２のスイッチと、前記第１のスイッチが押されたことに応じて録音を開始する開始手段と、前記開始手段で開始された録音を継続しながら、前記第２のスイッチが押されて撮影が実行された後から予め設定された撮影後の録音時間が経過したことに応じて録音を終了する終了手段と、前記第１のスイッチが押されてから前記第２のスイッチが押されるまでに録音した撮影前音声情報と、前記第２のスイッチが押されてから前記撮影後の録音時間が経過するまでに録音した撮影後音声情報とを、前記撮影で得られた画像に関連付けて記録媒体に記録する記録手段とを有し、前記第１のスイッチが押されてから前記第２のスイッチが押されるまでの時間が、予め決められた撮影前の録音時間を超える場合には、前記記録手段は、前記第２のスイッチが押される前の前記撮影前の録音時間分の音声情報を、撮影前音声情報として前記記録媒体に記録することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
上記目的を達成するために、本発明の撮像装置の制御方法は、音声情報を録音する機能を有する撮像装置の制御方法において、撮影の準備を行うための第１のスイッチが押されたことに応じて録音を開始する開始工程と、前記開始工程で開始された録音を継続しながら、撮影の指示を行うための第２のスイッチが押されて撮影が実行された後から予め設定された撮影後の録音時間が経過したことに応じて録音を終了する終了工程と、前記第１のスイッチが押されてから前記第２のスイッチが押されるまでに録音した撮影前音声情報と、前記第２のスイッチが押されてから前記撮影後の録音時間が経過するまでに録音した撮影後音声情報とを、前記撮影で得られた画像に関連付けて記録媒体に記録する第１記録工程と、前記第１のスイッチが押されてから前記第２のスイッチが押されるまでの時間が、予め決められた撮影前の録音時間を超える場合には、前記第２のスイッチが押される前の前記撮影前の録音時間分の音声情報を、撮影前音声情報として前記記録媒体に記録する第２記録工程とを備えることを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
上記目的を達成するために、本発明のプログラムは、音声情報を録音する機能を有する撮像装置の制御方法を当該撮像装置に実行させるプログラムにおいて、前記撮像装置を、撮影の準備を行うための第１のスイッチが押されたことに応じて録音を開始する開始手段、前記開始手段により開始された録音を継続しながら、撮影の指示を行うための第２のスイッチが押されて撮影が実行された後から予め設定された撮影後の録音時間が経過したことに応じて録音を終了する終了手段、前記第１のスイッチが押されてから前記第２のスイッチが押されるまでに録音した撮影前音声情報と、前記第２のスイッチが押されてから前記撮影後の録音時間が経過するまでに録音した撮影後音声情報とを、前記撮影で得られた画像に関連付けて記録媒体に記録する第１記録手段、及び前記第１のスイッチが押されてから前記第２のスイッチが押されるまでの時間が、予め決められた撮影前の録音時間を超える場合には、前記第２のスイッチが押される前の前記撮影前の録音時間分の音声情報を、撮影前音声情報として前記記録媒体に記録する第２記録手段として機能させる。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本発明によれば、撮影と同時に録音が行われる機能を有することを前提とし、操作を煩雑にすることなく、音声情報の録音開始及び終了のタイミングを撮影者が容易に変更することができる。